(57)【要約】【課題】  商品販売データ処理装置において、ＨＤＤ側に防振構造を設けて装置本体の筐体に着脱自在な構成とする場合に、ＨＤＤの筐体の振動を確実に防止してハードディスクの信頼性を高める。【解決手段】  ＨＤＤ５１を有するＨＤＤユニット５０において、ＨＤＤ５１の筐体５２を補強材５３によって補強し、ＨＤＤユニット５０が装置本体の筐体に取り付けられた状態においてはＨＤＤ５１を補強材５３を介して装置本体の筐体に対して弾性的に支持し、ＨＤＤユニット５０が装置本体の筐体１１から取り外された状態においては水平面に対してＨＤＤ５１を補強材５３を介して弾性的に支持可能である支持材５９でＨＤＤ５１を保持する。【選択図】    図６
2006092703.tif 000002
【特許請求の範囲】
【請求項１】
ハードディスクドライブユニットと、このハードディスクドライブユニットを着脱自在に保持する装置本体の筐体とを備え、商品販売データ処理を実行する商品販売データ処理装置において、
前記ハードディスクドライブユニットは、
筐体を有するハードディスクドライブと、
前記ハードディスクドライブの筐体を補強する補強材と、
当該ハードディスクドライブユニットが前記装置本体の筐体に取り付けられた状態においては前記ハードディスクドライブを前記補強材を介して前記装置本体の筐体に対して弾性的に支持し、当該ハードディスクドライブユニットが前記装置本体の筐体から取り外された状態においては水平面に対して前記ハードディスクドライブを前記補強材を介して弾性的に支持可能である支持部と、
を備えることを特徴とする商品販売データ処理装置。
【請求項２】
前記補強材は、前記ハードディスクドライブの筐体の相対向する側部を保持する板金によって構成されていることを特徴とする請求項１記載の商品販売データ処理装置。
【請求項３】
前記支持部は、
少なくとも一部が前記ハードディスクドライブの下方に位置し、前記装置本体の筐体に対して固定／固定解除され、かつ、前記水平面に接地可能な支持材と、
この支持材に前記補強材を介して前記ハードディスクドライブを弾性的に結合した弾性部と、
を有することを特徴とする請求項１又は２記載の商品販売データ処理装置。
【請求項４】
前記ハードディスクドライブユニットは、前記ハードディスクドライブを複数有し、
前記補強材は、複数の前記ハードディスクドライブを一体に保持していることを特徴とする請求項１，２又は３記載の商品販売データ処理装置。
【請求項５】
前記装置本体の筐体は、前記ハードディスクドライブユニットを当該装置本体の筐体の前面から着脱可能な構造を有することを特徴とする請求項１，２，３又は４記載の商品販売データ処理装置。
【発明の詳細な説明】
【技術分野】
【０００１】
本発明は、ハードディスクドライブを備える商品販売データ処理装置に関する。
【背景技術】
【０００２】
従来、ハードディスクドライブ(以下、ＨＤＤという)を備えたＰＯＳ（Point Of Sales）端末やＥＣＲ（Electronic Cash Register：電子式キャッシュレジスタ）等の商品販売データ処理装置がある。
【０００３】
ＨＤＤは、アルミニウム等の円盤に磁性体が塗布された記憶媒体(以下、ハードディスクという)を使用し、このハードディスクに対して、磁気ヘッドを用いて各種データや各種制御プログラム等の読み書きを行う記憶装置である。データの読み書きに際してのＨＤＤは、ハードディスクを高速で回転させて磁気ヘッドをハードディスクの半径方向に移動させる。
【０００４】
【特許文献１】特開平７−１０６７７５号公報
【発明の開示】
【発明が解決しようとする課題】
【０００５】
このような構造のＨＤＤは、振動に弱く、データの読み書き動作中に外部から強い振動が加えられると、データの読み書きに異常が発生してしまうことがある。そこで、ＨＤＤの取り付けに、防振構造を採用した商品販売データ処理装置がある。
【０００６】
防振構造としては、ＨＤＤと装置本体の筐体との間に防振ゴムを設ける構造がある。しかし、この構造では、ハードディスクの回転や磁気ヘッドの移動によりＨＤＤ自体によって振動が発生するという問題が新たに生じてしまうことがある。詳しくは、ハードディスクの回転や磁気ヘッドの移動によってＨＤＤの筐体が振動し、これによりＨＤＤ全体が振動してしまう。
【０００７】
また、商品販売データ処理装置では、各種プログラム等のバージョンアップ等の目的で、ＨＤＤを交換することが多々ある。このとき、ＨＤＤに対する防振構造が商品販売データ処理装置の装置本体の筐体側に取り付けられていると、ＨＤＤを商品販売データ処理装置の措置本体から取り外した状態では、ＨＤＤには防振機能が無くなり、取り外したＨＤＤを卓上などの水平面へ置く際に、ＨＤＤに振動が加わるという問題がある。よって、ＨＤＤに対する防振構造は、ＨＤＤ側に取り付ける必要がある。
【０００８】
特許文献１には、外部からの振動及び自己振動を防止する構造をＨＤＤ側に取り付けた技術が開示されている。特許文献１では、ＨＤＤ（特許文献１ではＨＤＤ本体）の下面に重りを設け、このＨＤＤを防振ゴムによって固定部材に取り付けてＨＤＤユニットを構成している。そして、このＨＤＤユニットを数値制御装置等の制御装置ユニット内にネジ止めしている。この構造では、重りによって、ＨＤＤの自己振動を防止でき、防振ゴムによって外部からの振動の影響を防止できるとされている。
【０００９】
しかしながら、特許文献１では、ＨＤＤの筐体の振動に対しては、着目されていない。
また、重りが設けられたＨＤＤが防振ゴムに直接固定されているので、ＨＤＤの筐体には、常に重りによる負荷がかかった状態となっており、この状態で筐体に振動が生じると、筐体にかかる負荷が大きくなってしまう。場合によっては、筐体が変形して、内蔵された各部の位置関係がずれてしまい、ＨＤＤの信頼性が損なわれることが懸念される。
【００１０】
本発明の目的は、商品販売データ処理装置において、ＨＤＤ側に防振構造を設けて装置本体の筐体に着脱自在な構成とする場合に、ＨＤＤの信頼性が損なわれるのを防止することである。
【課題を解決するための手段】
【００１１】
本発明は、ハードディスクドライブユニットと、このハードディスクドライブユニットを着脱自在に保持する装置本体の筐体とを備え、前記ハードディスクドライブユニットは、筐体を有するハードディスクドライブと、前記ハードディスクドライブの筐体を補強する補強材と、当該ハードディスクドライブユニットが前記装置本体の筐体に取り付けられた状態においては前記ハードディスクドライブを前記補強材を介して前記装置本体の筐体に対して弾性的に支持し、当該ハードディスクドライブユニットが前記装置本体の筐体から取り外された状態においては水平面に対して前記ハードディスクドライブを前記補強材を介して弾性的に支持可能である支持部と、を備えることを特徴とする。
【発明の効果】
【００１２】
本発明によれば、商品販売データ処理装置において、ＨＤＤ側に防振構造を設けて装置本体の筐体に着脱自在な構成とする場合に、ＨＤＤの信頼性が損なわれるのを防止することができる。
【発明を実施するための最良の形態】
【００１３】
本発明の一実施の形態を図面に基づいて説明する。
【００１４】
図１は、本実施の形態の商品販売データ処理装置であるＰＯＳ端末１を示すブロック図である。図１に示すように、ＰＯＳ端末１は、装置本体である制御ユニット２に、キーボード３、客用表示器４、キャッシャ用表示器５、バーコードスキャナ６、サーマルプリンタ７等が接続されて構成されている。さらに、この装置本体には、ＰＯＳ端末とは別に設けられたドロワ８が接続されている。
【００１５】
制御ユニット２には、各部を駆動制御する図示しない制御部が内蔵されている。制御部は、各部を集中的に制御するＣＰＵ（Central Processing Unit）に、アドレスバス、データバス等のバスラインを介して、起動プログラム等の固定的データを予め格納するＲＯＭ（Read Only Memory）、売上バッファや印字バッファ等の各種バッファを構成して各種データを書き換え自在に格納するＲＡＭ（Random Access Memory）等が接続されて構成されている。この制御部には、前述したキーボード３、キャッシャ用表示器５、客用表示器４、バーコードスキャナ６、サーマルプリンタ７、ドロワ８が図示しないＩ／Ｏを介して接続されている。
【００１６】
また、制御ユニット２には、ハードディスクドライブユニット（以下、ＨＤＤユニットと言う：図５参照）５０が内蔵されている。ハードディスクドライブユニットには、ハードディスクドライブ（以下、ＨＤＤと言う：図５参照）５１が設けられている。ＨＤＤ５１は、アルミニウム等の円盤に磁性体が塗布された記憶媒体である図示しないハードディスクを使用し、このハードディスクに対して、図示しない磁気ヘッドを用いて各種データや各種制御プログラム等の読み書きを行う記憶装置である。ＨＤＤ５１は、図示しないＩ／Ｏを介して制御部に接続されて、制御部の制御を受けて動作する。具体的には、ＨＤＤ５１は、高速回転させたハードディスクの半径方向に磁気ヘッドを移動させながらハードディスクに対する読み書きを実行する。ＨＤＤ５１には、制御部を動作させるコンピュータプログラムの他に、商品マスタファイル、ジャーナルファイル等が格納されている。商品マスタファイルは、商品コードに対応付けて商品名や単価などを記憶するファイルである。ジャーナルファイルは、売上データとして売上明細や売上金額等のジャーナルデータを取引番号に対応付けして記憶するファイルである。
【００１７】
ＨＤＤ５１に格納されたコンピュータプログラムは、ＰＯＳ端末１の起動時に商品マスタファイル等の各種ファイルとともにＲＡＭに展開され、これによって制御部による各部の駆動制御が可能な状態となる。
【００１８】
ここで、ＨＤＤ５１からＲＡＭに展開された制御プログラムが制御部に実行させる機能の内、商品の販売に関わる販売データ処理機能における処理動作について簡単に説明する。例えば、商品に付された商品コードをバーコードスキャナ６によって読み取ると、制御部は読み取った商品コードに基づいて商品マスタファイルを検索し、該当する商品コードに対応した商品名や単価等を読み出し、商品コード、商品名、単価等に基づいて売上登録処理するとともに、部門別登録や客用表示器４やキャッシャ用表示器５への表示、またサーマルプリンタ７により印字出力を行い、さらに売上登録した売上登録データを売上ファイルに累計する。
【００１９】
次に、本実施の形態の特徴部分である制御ユニット２を図２ないし図７に基づいて説明する。
【００２０】
図２は、制御ユニット２を示す外観斜視図である。図２に示すように、制御ユニット２は、直方体状の筐体１１を有している。この筐体１１の内部には、前述した制御部、ＨＤＤユニット５０等が設けられている。筐体１１の前面には、前面パネル１２が着脱自在に取り付けられている。
【００２１】
図３は、前面パネル１２が取り外された状態の制御ユニット２を示す外観斜視図である。図３に示すように、筐体１１の前面には、前面パネル１２の内側にさらに内部パネル１３が着脱自在に取り付けられている。
【００２２】
図４は、前面パネル１２及び内部パネル１３が取り外された状態の制御ユニット２を示す外観斜視図、図５は、ＨＤＤユニット５０が取り外された状態の制御ユニット２を示す外観斜視図である。図４及び図５に示すように、筐体１１の前面には、開口１４が形成されている。この開口１４は、筐体１１から前面パネル１２及び内部パネル１３が取り外されることによって露出する。筐体１１における開口１４の奥側には、ＨＤＤユニット５０が取り付けられている。ＨＤＤユニット５０は、前面パネル１２及び内部パネル１３が筐体１１から取り外されることにより露出する。このＨＤＤユニット５０は、筐体１１に対して、着脱自在に設けられている。詳しくは、開口１４を通過する方向（前後方向）に沿って着脱移動可能とされている。即ち、ＨＤＤユニット５０の着脱作業が、筐体１１の前面から可能となっている。
【００２３】
図６は、ＨＤＤユニット５０を示す右側面図である。図６に示すように、ＨＤＤユニット５０には、２つのＨＤＤ５１が設けられている。これらのＨＤＤ５１は、直方体状の金属製の筐体５２を有し、この筐体５２の内部に前述したハードディスクや磁気ヘッド等が設けられている。これらのＨＤＤ５１は、間隔をあけて上下２段に位置付けられた状態で補強材５３にネジ５４によって固定されている。
【００２４】
補強材５３は、下側に開口を向けたコの字状のコの字部５５を有し、コの字部５５の両下端には、コの字部５５の外側に向けて水平に張出した一対の張出し部５６が形成されている。この補強材５３は、板金を折り曲げ加工して成形されたものである。そして、コの字部５５の内側に、ＨＤＤ５１が取り付けられている。即ち、補強材５３は、２つのＨＤＤ５１を一体に保持している。詳しくは、コの字部５５の一対の縦壁５５ａにＨＤＤ５１の一対の側部がそれぞれ対向した状態で、ＨＤＤ５１の一対の側部がネジ５４によって補強材５３の縦壁５５ａにネジ止めされている。このように、補強材５３がＨＤＤ５１に取り付けられることにより、ＨＤＤ５１の筐体１１が補強され、筐体１１の曲げ剛性やねじり剛性などの剛性が向上される。ここで、ネジ５４によって一体化された補強材５３と２つのＨＤＤ５１とは、ＨＤＤ部５７を構成している。
【００２５】
このＨＤＤ部５７は、弾性部５８を介して支持材５９に取り付けられている。詳しくは、補強材５３の張出し部５６に形成されＨＤＤ部５７の四隅に位置する取付部６０が弾性部５８によって支持材５９に取り付けられている。ここで、弾性部５８と支持材５９とによって、支持部６１が構成されている。
【００２６】
支持材５９は、板金によって構成されて、ＨＤＤ５１の下部を覆う形状に形成されている。具体的には、支持材５９は、ＨＤＤ５１の下方に位置しＨＤＤ部５７よりも前後方向に長い下板６２、この下板６２の前端及び後端から上方に延出して設けられた前板６３及び後板６４等から構成されている。前板６３及び後板６４のそれぞれには、弾性部５８が取り付けられる取付部６５が２個ずつ設けられている。取付部６５は、前板６３又は後板６４から支持材５９の内側に向かって水平に延出した板に孔が開けられ構成されている。後板６４は、前板６３よりも幅狭に形成されている。
【００２７】
図７は、弾性部５８を示す分解側面図である。図７に示すように、弾性部５８は、弾性を有するゴム製の弾性材６６、カラー６７、ネジ６８、ナット６９から構成されている。弾性材６６は、上部の下部のとの間にくびれを有する形状に形成されている。弾性材６６の内部には、上下方向に貫通した貫通孔が形成されている。この貫通孔には、両端開口の円筒状のカラー６７が嵌合している。カラー６７と貫通孔との長さは略同じに設定されている。そして、この弾性部５８は、弾性材６６のくびれ部分で補強材５３の張出し部５６の取付部６０を保持している。この状態、ネジ６８がカラー６７に挿通され、ネジ６８の先端が支持材５９の取付部６５に形成された孔に挿通されてナット６９で固定されることによって、弾性部５８が組立てられる。これにより、ＨＤＤ部５７が支持材５９に弾性部５８を介して取り付けられる。
【００２８】
この構造のＨＤＤユニット５０では、ＨＤＤ部５７が支持部６１の弾性材６６の弾性によって筐体１１に対して弾性的に支持されている。また、ＨＤＤユニット５０は、制御ユニット２の筐体１１から取り外された状態で、下板６２を例えば卓上などの水平面に接地させてＨＤＤユニット５０を載置することが可能となっている。このとき、ＨＤＤ部５７は、支持部６１の弾性材６６の弾性によって水平面に対して弾性的に支持される。
【００２９】
次に、筐体１１に対するＨＤＤユニット５０の着脱構造を説明する。図５に示すように、筐体１１の底面には、ＨＤＤユニット５０の下板６２がスライド自在に嵌合可能な一対のレール７０が前後方向に延出して設けられている。また、筐体１１の前板７１には、ＨＤＤユニット５０の前板６３の後面が当接する複数の当接部７２が形成されている。これらの当接部７２は、ＨＤＤユニット５０がレール７０に沿って移動するときに、前板６３以外のＨＤＤユニット５０の各部には干渉しないように形成されている。従って、ＨＤＤユニット５０は、下板６２がレール７０の前端側からレール７０に嵌合した状態で筐体１１の奥側に向かって押されることにより、レール７０に沿って筐体１１の奥側に移動し、最終的に、前板６３が筐体１１の当接部７２に当接して位置決めされる。また、ＨＤＤユニット５０は、この状態から前方に向かって引き出されることにより、前方に移動してレール７０から外れる。
【００３０】
図４及び図５に示すように、ＨＤＤユニット５０の前板６３の左右の端部には、ネジ７３が貫通可能な孔７４が形成されており、筐体１１の前板７１の当接部７２には、雌ネジ部７５が設けられている。そして、ＨＤＤユニット５０は、前板６３が筐体１１の当接部７２に当接した状態で、孔７４に挿通されたネジ７３が雌ネジ部７５に螺合することにより、筐体１１に固定される。なお、ＨＤＤユニット５０を筐体１１に取り付ける際には、ＨＤＤ５１の図示しない電線を筐体１１に設けられた図示しない電線に接続する。これにより、ＨＤＤ５１が制御部や電源部（図示せず）に接続される。そして、ＨＤＤユニット５０を筐体１１に取り付けた後に、筐体１１に内部パネル１３と前面パネル１２とを取り付けることで、ＨＤＤユニット５０の取り付けが完了する。
【００３１】
一方、ＨＤＤユニット５０を筐体１１から取り外す場合には、筐体１１から前面パネル１２と内部パネル１３とを取り外した後、ネジ７３を外して、ＨＤＤユニット５０を前方に引き出す。これにより、ＨＤＤユニット５０が筐体１１から取り外される。なお、ＨＤＤユニット５０を筐体１１から取り外す際には、ＨＤＤ５１の図示しない電線と筐体１１に設けられた図示しない電線との接続を解除する。
【００３２】
このような構成において、ＨＤＤユニット５０が筐体１１に取り付けられた状態において、筐体１１に対して外部から加えられた振動がＨＤＤユニット５０に伝達した場合、その振動は、支持材５９から弾性部５８に伝わり、弾性部５８によって減衰される。従って、ＨＤＤユニット５０に筐体１１を経由して加えられた振動がそのままの大きさでＨＤＤ５１に伝達されることが防止される。よって、ＨＤＤ５１の信頼性が損なわれるのが防止される。
【００３３】
また、ＨＤＤ５１の筐体５２は、補強材５３によって補強されて剛性が高められているので、ＨＤＤ５１の動作中においてハードディスクの回転駆動や磁気ヘッドの移動によって筐体５２が振動することが、従来のように補強材５３が無い場合に比べて、発生し難くなっている。よって、補強材５３が無い場合に比べてＨＤＤ５１の信頼性が向上している。即ち、ＨＤＤ５１の信頼性が損なわれるのが防止される。
【００３４】
また、ＨＤＤユニット５０では、補強材５３が弾性部５８に結合された状態で、ＨＤＤ５１が補強材５３に固定されているので、補強材５３がＨＤＤ５１に対して負荷として作用することがない。よって、重りをＨＤＤに設けた従来のＨＤＤユニットに比べて、ＨＤＤ５１の信頼性が向上する。即ち、ＨＤＤ５１の信頼性が損なわれるのが防止される。
【００３５】
また、ＨＤＤユニット５０のメンテナンス等によって、ＨＤＤユニット５０を筐体１１から取り外した場合には、作業者は、下板６２を下にした状態でＨＤＤユニット５０を卓上や床などの水平面に載置すればよい。このとき、ＨＤＤユニット５０には、水平面への載置による衝撃が加えられることがあるが、この衝撃は、支持材５９からＨＤＤ部５７に伝わる際に、弾性部５８によって吸収される。よって、その衝撃が、そのままの大きさでＨＤＤ部５７に伝達されることが防止される。即ち、ＨＤＤユニット５０が水平面へ載置される際に、ＨＤＤ５１に伝わる衝撃は、弾性部５８の作用によって弱められる。よって、ＨＤＤユニット５０を水平面へ載置するときに、衝撃によってＨＤＤ５１が故障や破損することが防止される。
【００３６】
また、本実施の形態においては、補強材５３は、筐体５２の相対向する側部を保持する板金によって構成されていることにより、簡単な構造で補強材５３を実現することができる。
【００３７】
また、本実施の形態においては、支持部６１は、少なくとも一部がＨＤＤ５１の下方に位置し、筐体１１に対して固定／固定解除され、かつ、水平面に接地可能な支持材５９と、この支持材５９に補強材５３を介してＨＤＤ５１を弾性的に結合した弾性部５８と、を有することにより、簡単な構造で支持部６１を実現することができる。
【００３８】
また、本実施の形態においては、ＨＤＤユニット５０は、ＨＤＤ５１を複数有し、補強材５３は、複数のＨＤＤ５１を一体に保持していることにより、例えばＨＤＤ５１毎にＨＤＤユニットを別個に設ける場合に比べて、構成が簡素となる。
【００３９】
ここで、通常、筐体１１は、前面側に障害物が存在しない設置場所に設置される。また、使用形態の一形態として、装置本体の筐体１１の上面には、客用表示器４、キャッシャ用表示器５、キーボード３等が置かれる場合がある。そこで、本実施の形態においては、筐体１１は、ＨＤＤユニット５０を当該筐体１１の前面から着脱可能な構造を有することにより、例えばＨＤＤ５１の着脱を上面側から行う構造に比べて、ＨＤＤ５１のメンテナンスや交換等のときの筐体１１に対するＨＤＤ５１の着脱作業が容易であり、ＨＤＤ５１の着脱時間にかかる作業時間を大幅に短縮することができる。
【図面の簡単な説明】
【００４０】
【図１】本発明の一実施の形態のＰＯＳ端末を示すブロック図である。
【図２】制御ユニットを示す外観斜視図である。
【図３】前面パネルが取り外された状態の制御ユニットを示す外観斜視図である。
【図４】前面パネル及び内部パネルが取り外された状態の制御ユニットを示す外観斜視図である。
【図５】ハードディスクドライブユニットが取り外された状態の制御ユニットを示す外観斜視図である。
【図６】ハードディスクドライブユニットを示す右側面図である。
【図７】弾性部を示す分解側面図である。
【符号の説明】
【００４１】
１…商品販売データ処理装置、２…装置本体、１１…装置本体の筐体、５０…ハードディスクドライブユニット、５１…ハードディスクドライブ、５２…ハードディスクドライブの筐体、５３…補強材、５８…弾性部、５９…支持材、６１…支持部
【図１】
2006092703.tif 000003
【図２】
2006092703.tif 000004
【図３】
2006092703.tif 000005
【図４】
2006092703.tif 000006
【図５】
2006092703.tif 000007
【図６】
2006092703.tif 000008
【図７】
2006092703.tif 000009